(57)【要約】【課題】  回転型現像器を用いた画像形成装置において、トナー補給後に現像部のトナー補給口付近に余剰トナーが付着し、その余剰トナーが前記回転型現像器の回転に伴い、画像形成装置内に飛散して感光体表面に付着し、混色や出力画像の劣化が生ずる。【解決手段】  画像形成装置の回転型現像器の下部に余剰トナー受け部を設け、トナー補給後にトナー補給口付近に付着した余剰トナーをトナー受け部上部まで回転型現像器を低速回転して移動させ、その後余剰トナー受け部上部の範囲で回転型現像器を高速回転させることにより余剰トナーを余剰トナー受け部に振り落とすことにより解決した。【選択図】図７
2007316554.tif 000002
【特許請求の範囲】
【請求項１】
円周方向にトナー色ごとに配置された複数の現像部を持ち回転駆動部によって駆動される回転型現像器と、
前記現像部ごとに設けられたトナー補給口と、
トナー色ごとにトナーを前記現像部に補給するトナー補給装置と
を有する、静電潜像担持体に近接配置されて順次数種のトナーを静電潜像に供給して多色現像を行う画像形成装置において、
前記現像部に前記トナー補給装置によりトナー補給を行った後、前記回転型現像器を低速回転してトナー補給口を回転型現像器の下部側に移動させ、この下部側で前記トナー補給口付近に付着した余剰トナーを振り落とすために、前記回転型現像器を高速回転させるように前記回転駆動部を制御する制御部を設けた
ことを特徴とする画像形成装置。
【請求項２】
請求項１の画像形成装置であって、
前記回転型現像器の下部側に、前記振り落とされた余剰トナーを収集する、余剰トナー受け部を備えた
ことを特徴とする画像形成装置。
【請求項３】
請求項１または２の画像形成装置であって、
前記制御部は、前記現像部に前記トナー補給装置によりトナー補給を行った後、前記回転型現像器を低速逆回転してトナー補給口を回転型現像器の下部側に移動させ、この下部側で前記トナー補給口付近に付着した余剰トナーを振り落とすために、前記回転型現像器を高速逆回転させるように前記回転駆動部を制御する
ことを特徴とする画像形成装置。
【請求項４】
円周方向にトナー色ごとに配置された複数の現像部を持ち回転駆動部によって駆動される回転型現像器と、
前記現像部ごとに設けられたトナー補給口と、
トナー色ごとにトナーを前記現像部に補給するトナー補給装置と
を有する、静電潜像担持体に近接配置されて順次数種のトナーを静電潜像に供給して多色現像を行う画像形成装置において、
前記現像部に前記トナー補給装置によりトナー補給を行った後、前記回転型現像器を低速回転してトナー補給口を回転型現像器の下部側に移動させる低速回転ステップと、前記下部側で前記トナー補給口付近に付着した余剰トナーを振り落とすために、前記回転型現像器を高速回転させる高速回転ステップを備えて前記回転駆動部を制御する
ことを特徴とする制御プログラム。
【発明の詳細な説明】
【技術分野】
【０００１】
回転型現像器におけるトナー補給動作での回転制御を考慮した画像形成装置及び制御プログラムに関するものである。
【背景技術】
【０００２】
従来、外部から回転型現像器にトナーを供給する技術として、特許文献１に記載されているように、現像剤搬送手段を持った複数の現像部を円筒外周に沿って配設し、選択的に現像部を現像位置に回動させ像担持体上の潜像を現像するロータリー多色現像ユニットにおいて、前記複数の現像部を円筒外周に沿って配設した現像部と、該現像部より外側同軸上に配設し各現像部に現像剤を補給するための複数の現像剤補給口を有する円筒状の現像剤補給部とを備え、前記複数の現像剤補給口に選択的に連通する複数の現像剤補給路が前記円筒状の現像剤補給部の外周面に沿って摺動するように構成したことを特徴とするロータリー多色現像ユニットが提案されていた。
【０００３】
【特許文献１】特開２００１−１３４０４５号公報  しかし上記による回転型現像器にトナー補給口からトナーを補給する方法においては、トナー補給後に現像部のトナー補給口付近に余剰トナーが付着し、その余剰トナーが前記回転型現像器の回転に伴い、画像形成装置内に飛散して装置内各部を汚し、あるいは感光体表面に付着し、混色や出力画像の劣化が生ずるなどの問題があった。
【発明の開示】
【発明が解決しようとする課題】
【０００４】
解決しようとする問題点は、回転型現像器を用いた画像形成装置において、トナー補給後に現像部のトナー補給口付近に余剰トナーが付着し、その余剰トナーが前記回転型現像器の回転に伴い、画像形成装置内に飛散して装置内を汚し、あるいは感光体表面に付着し、混色や出力画像の劣化が生ずる等の点である。
【課題を解決するための手段】
【０００５】
本発明は、円周方向にトナー色ごとに配置された複数の現像部を持ち回転駆動部によって駆動される回転型現像器と、前記現像部ごとに設けられたトナー補給口と、トナー色ごとにトナーを前記現像部に補給するトナー補給装置とを有する、静電潜像担持体に近接配置されて順次数種のトナーを静電潜像に供給して多色現像を行う画像形成装置において、前記現像部に前記トナー補給装置によりトナー補給を行った後、前記回転型現像器を低速回転してトナー補給口を回転型現像器の下部側に移動させ、この下部側で前記トナー補給口付近に付着した余剰トナーを振り落とすために、前記回転型現像器を高速回転させるように前記回転駆動部を制御する制御部を設けたことを最も主要な特徴とする。
【０００６】
本発明の制御プログラムは、円周方向にトナー色ごとに配置された複数の現像部を持ち回転駆動部によって駆動される回転型現像器と、前記現像部ごとに設けられたトナー補給口と、トナー色ごとにトナーを前記現像部に補給するトナー補給装置とを有する、静電潜像担持体に近接配置されて順次数種のトナーを静電潜像に供給して多色現像を行う画像形成装置において、前記現像部に前記トナー補給装置によりトナー補給を行った後、前記回転型現像器を低速回転してトナー補給口を回転型現像器の下部側に移動させる低速回転ステップと、前記下部側で前記トナー補給口付近に付着した余剰トナーを振り落とすために、前記回転型現像器を高速回転させる高速回転ステップを備えて前記回転駆動部を制御することを特徴とする。
【発明の効果】
【０００７】
本発明は、円周方向にトナー色ごとに配置された複数の現像部を持ち回転駆動部によって駆動される回転型現像器と、前記現像部ごとに設けられたトナー補給口と、トナー色ごとにトナーを前記現像部に補給するトナー補給装置とを有する、静電潜像担持体に近接配置されて順次数種のトナーを静電潜像に供給して多色現像を行う画像形成装置において、前記現像部に前記トナー補給装置によりトナー補給を行った後、前記回転型現像器を低速回転してトナー補給口を回転型現像器の下部側に移動させ、この下部側で前記トナー補給口付近に付着した余剰トナーを振り落とすために、前記回転型現像器を高速回転させるように前記回転駆動部を制御する制御部を設けたため、トナー補給後に現像部のトナー補給口付近に余剰トナーが付着しても、その後の回転現像器の回転制御によって余剰トナーを下部側の一定個所に振り落とすことができる。このため、その余剰トナーが前記回転型現像器の回転に伴い画像形成装置内に飛散して感光体表面に付着して、混色や出力画像の劣化が生ずるのを抑制することが可能となった。
【０００８】
また、本発明の制御プログラムは、円周方向にトナー色ごとに配置された複数の現像部を持ち回転駆動部によって駆動される回転型現像器と、前記現像部ごとに設けられたトナー補給口と、トナー色ごとにトナーを前記現像部に補給するトナー補給装置とを有する、静電潜像担持体に近接配置されて順次数種のトナーを静電潜像に供給して多色現像を行う画像形成装置において、前記現像部に前記トナー補給装置によりトナー補給を行った後、前記回転型現像器を低速回転してトナー補給口を回転型現像器の下部側に移動させる低速回転ステップと、前記下部側で前記トナー補給口付近に付着した余剰トナーを振り落とすために、前記回転型現像器を高速回転させる高速回転ステップを備えて前記回転駆動部を制御することを特徴とするため、トナー補給後に現像部のトナー補給口付近に余剰トナーが付着しても、その後の回転現像器の回転制御によって余剰トナーを下部側の一定個所に振り落とすことができる。このため、その余剰トナーが前記回転型現像器の回転に伴い画像形成装置内に飛散して感光体表面に付着して、混色や出力画像の劣化が生ずるのを抑制することが可能となった。
【発明を実施するための最良の形態】
【０００９】
回転型現像器を用いた画像形成装置において、トナー補給後に現像部のトナー補給口付近に余剰トナーが付着し、その余剰トナーが前記回転型現像器の回転に伴い、画像形成装置内に飛散して感光体表面に付着し、混色や出力画像の劣化が生ずるという問題を回転型現像器の回転制御を行うことにより、余剰トナーを余剰トナー受け部に振り落とすことにより解決した。
【実施例１】
【００１０】
［カラープリンタの構成］
以下、本発明の画像形成装置を、例えば、コンピュータ等から送信されてくる画像情報に基づいてカラー画像を用紙に印刷する画像形成装置としてのカラープリンタに適用した実施形態について説明する。
【００１１】
図１は、本実施例のカラープリンタ１の機能ブロック図である。
【００１２】
カラープリンタ１は、感光体ドラム２、レーザユニット４、回転型現像器３、中間転写ベルト７、制御部８０、印刷制御部８５、トナー補給制御部８６、回転制御部８７、二次転写ローラ８、給紙カセット５２、搬送部６７、トナー補給装置６から構成されている。
【００１３】
図２にカラープリンタ１の断面図を示し、以下にその動作について説明する。
【００１４】
カラープリンタ１は、その表面に静電潜像が形成されるとともに前記静電潜像がトナーにより現像される感光体ドラム２と、前記感光体ドラム２の表面に色成分毎に走査露光することで各色成分の静電潜像を形成する露光装置としてのレーザユニット４と、前記感光体ドラム２に形成された各色成分の静電潜像に対して前記色成分に対応したトナーによって前記静電潜像を現像する回転型現像器３と、前記感光体ドラム２の表面に現像されたトナー像が順次転写される中間転写ベルト７と、前記中間転写ベルト７に転写されたトナー像を用紙に転写する二次転写ローラ８と、前記用紙に転写されたトナー像を用紙に定着する定着装置９と、用紙を収容及び給紙する給紙カセット５２と、前記給紙カセット５２から給紙される用紙を搬送する搬送部６７と、前記トナー像が定着された用紙、つまり、カラー画像が印刷された用紙が排出される排出部５０と、前記回転型現像器３にトナーを補給するトナー補給装置６と、前記トナー補給装置６が前記回転型現像器３に補給するトナーを予め収容しておくトナーコンテナ５と、前記各機能ブロックを統括制御する制御部８０等から構成されている。尚、前記制御部８０は、単一または複数のＣＰＵや、その動作プログラムが格納されたＲＯＭ、ワーキングエリアに使用されるＲＡＭ等を備えたマイクロコンピュータからなり、前記各機能ブロックを統括制御する。また、前記図２において、右側面をオペレータにより操作が行われる操作面とし、また、図２の右側を装置手前側、図２の左側を装置奥側として以下説明する。
【００１５】
前記感光体ドラム２は、当該感光体ドラム２の表面に静電潜像が形成されるとともに前記静電潜像がトナーにより現像されるもので、当該カラープリンタ１のほぼ中央に回転自在に、また、その回転軸が装置手前側からみて横方向に延びるように、即ち、図２の紙面に対して垂直に延びるように設置されている。尚、前記感光体ドラム２の上部には、当該感光体ドラム２の表面を予め一様に帯電しておくための帯電ローラ１０が設置されている。また、前記感光体ドラム２の側方には、当該感光体ドラム２の表面に残留したトナーや付着物を清掃するためのドラムクリーニング部１１が設置されている。
【００１６】
前記レーザユニット４は、外部のコンピュータ等から送信されてきた画像情報に基づいて前記感光体ドラム２の表面をレーザにより走査露光することで、前記感光体ドラム２の表面に色成分毎の静電潜像を形成するもので、前記感光体ドラム２の上方で、且つ、前記回転型現像器３の回転軸より装置奥側（図２の左側）に設置されている。正確には、当該レーザユニット４の前端（レーザ光が発射される側の端部）が、前記回転型現像器３の回転軸のほぼ真上に位置し、後端側に行くにつれて下方に傾斜し、後端は前記回転型現像器３の上端部よりは下方に位置している。尚、前記レーザユニット４の内部の構成は、従来の構成と同様であり、レーザ光源、ポリゴンミラー、ポリゴンミラー駆動用モータ等を備えている。また、前記レーザユニット４の前方には、反射ミラー２０が設けられており、前記レーザユニット４から発射されたレーザは、前記反射ミラー２０によって屈曲し、前記感光体ドラム２の表面に照射されるように構成されている。
【００１７】
前記回転型現像器３は、各色のトナーが充填された複数の現像部１６と、前記現像部１６を支持する回転枠１５を備え、前記感光体ドラム２の表面に形成された静電潜像を前記現像部１６に充填された前記静電潜像に対応する色のトナーによって現像することで、前記感光体ドラム２の表面に色成分毎のトナー像を形成するように構成されている。尚、前記回転型現像器３は、その中心が前記感光体ドラム２とほぼ同じ高さとなるように、また、前記感光体ドラム２と隣接するように設置されている。
【００１８】
前記回転枠１５は、その形状を円筒形状とし、前記感光体ドラム２の回転軸と平行な軸の回りに回転自在となるように設置されるとともに、図示しないモータやギアを含む駆動機構によって回転させられるように構成されている。また、前記回転枠１５は、回転軸の中心から放射状に延びる仕切枠によって円周方向に、例えば、４等分された４つの区画を備え、前記各区画に、それぞれイエロー、シアン、マゼンタ、ブラックの何れかのトナーが充填された前記現像部１６を装着することで、前記各現像部１６を支持するように構成されている。
【００１９】
尚、前記各色のトナーが充填されたそれぞれの現像部１６は、予め設定された区画に装着されるように構成されている。つまり、予めイエローに対応したイエロー区画、シアンに対応したシアン区画、マゼンタに対応したマゼンタ区画及びブラックに対応したブラック区画が設定され、前記イエロー区画にイエローのトナーが充填された現像部１６ｙが、前記シアン区画にシアンのトナーが充填された現像部１６ｃが、前記マゼンタ区画にマゼンタのトナーが充填された現像部１６ｍが、前記ブラック区画にブラックのトナーが充填された現像部１６ｂが、それぞれ装着されるように構成されている。また、前記各現像部１６は、オペレータ等によるメンテナンスのため、前記回転枠１５から前記回転枠１５の軸心方向に沿って着脱自在となるように構成されている。
【００２０】
前記現像部１６は、前記感光体ドラム２に対向配置可能な現像ローラ（不図示）と、トナーを攪拌するための攪拌ローラ（不図示）と、当該現像部１６に充填されているトナーの残量を検出するトナー残量センサ（不図示）を備えるとともに、後述のトナー補給ノズルにより当該現像部１６の内部へトナーを補給可能とするための、図３に示すような、トナー補給口１８が当該現像部１６のケース１７の外周側に形成されている。
【００２１】
前記トナー補給口１８は、前記ケース１７の一部に開口領域が形成されるとともに、普段は密着閉口しているトナー補給口としてのスリット１８ａが形成された弾性部材が前記開口領域に固定されている。尚、前記トナー補給口１８は、各色のトナーに対応した現像部、つまり、前記イエローのトナーに対応した現像部１６ｙ、前記シアンのトナーに対応した現像部１６ｃ、前記マゼンタのトナーに対応した現像部１６ｍ、前記ブラックのトナーに対応した現像部１６ｂ毎に異なる位置、例えば、図４に示すように、装置手前側からみて互いに異なる横方向の位置（前記回転枠１５の軸心方向に沿って互いに異なる位置）に形成されている。即ち、詳細は後述するが、前記各現像部１６ｙ、１６ｃ、１６ｍ、１６ｂは、前記各現像部１６ｙ、１６ｃ、１６ｍ、１６ｂにおけるトナーの色に対応したトナー補給ノズルの設置位置に応じた位置に、前記トナー補給口１８が形成されている。
【００２２】
前記中間転写ベルト７は、前記感光体ドラム２に順次形成される色成分毎のトナー像が順次転写されるもので、対向して設置された駆動ローラ３５と従動ローラ３６との間に当該中間転写ベルト７が掛け渡された構成となっている。尚、前記中間転写ベルト７は、前記感光体ドラム２及び前記トナーコンテナ５の下方に設置されているとともに、前記中間転写ベルト７の感光体ドラム２と対向する部分が、一対の一次転写ローラ３７ａ、３７ｂによって前記感光体ドラム２に当接するように構成されている。
【００２３】
前記二次転写ローラ８は、前記中間転写ベルト７に転写されたトナー像を、搬送されてきた用紙に転写するもので、前記駆動ローラ３５の下方に前記駆動ローラ３５と対向配置されている。
【００２４】
前記定着装置９は、ヒータを内蔵する加熱ローラ９ａと、前記加熱ローラ９ａに圧接する加圧ローラ９ｂを備え、前記両ローラ間にトナー像が転写された用紙を挟持して搬送することで、用紙上に転写されたトナー像を前記用紙に溶融定着するように構成されている。また、前記定着装置９は、前記回転型現像器３の下方で、且つ、装置奥側に設置されている。
【００２５】
前記給紙カセット５２は、トナー像を定着させるための用紙、つまり、カラー画像を印刷するための用紙を収納及び給紙するもので、載置板の上に用紙を収納する用紙収納部と、当該給紙カセット５２から用紙を送り出すための給紙部５１を備えて構成されている。また、前記給紙部５１は、前記載置板上の用紙を送り出すための前送りコロ５３と、用紙を１枚ずつ搬送路に送り出すためのローラ対からなる重送防止機構５４とを備えて構成されている。尚、前記給紙カセット５２は、当該カラープリンタ１の底部に設置されている。
【００２６】
前記搬送部６７は、前記給紙カセット５２から送り出された各用紙上にトナー画像が順次形成されるように用紙を搬送するもので、用紙を案内しながら搬送するガイド板と、ローラ対と、前記ローラ対を駆動するモータと、所定の位置における用紙の有無を検出するセンサ等を備えるとともに、前記給紙部５１から前記二次転写ローラ８に至る第一搬送路５５と、前記二次転写ローラ８から前記定着装置９に至る第二搬送路５６と、前記定着装置９から前記排出部５０に至る第三搬送路５７が形成されている。尚、前記第一搬送路５５は、前記給紙カセット５２から送り出された用紙を上方に搬送しつつ搬送方向を逆にするための湾曲路５５ａと、前記湾曲路５５ａから前記二次転写ローラ８に至る直線路５５ｂから形成され、前記直線路５５ｂには、用紙の搬送タイミングを制御するためのレジストローラ対６０が設置されている。
【００２７】
尚、前記定着装置９の出口付近に、分岐爪５８を設置し、前記分岐爪５８と前記第一搬送路５５の途中との間に、用紙を第一搬送路５５に戻すための戻し搬送路５９を設置した構成としてもよい。
【００２８】
前記排出部５０は、前記トナー像が定着された用紙が載置されるもので、当該カラープリンタ１の上部表面、即ち、前記レーザユニット４、トナー補給装置６及び前記トナーコンテナ５の上方に形成されている。
【００２９】
前記トナーコンテナ５は、前記各現像部１６に補給される各色のトナーを予め収容しておくもので、前記感光体ドラム２の上方で、且つ、前記レーザユニット４と対向する側（装置手前側）に設置されている。また、前記トナーコンテナ５は、横方向（図２の紙面垂直方向）に並べて配置されたイエロー、シアン、マゼンタ、ブラックのそれぞれの各色のトナーを収容する４つのトナー収容部を備え、前記各トナー収容部にそれぞれに対応した色のトナーが収容されている。
【００３０】
前記トナー補給装置６は、前記トナーコンテナ５に収容された各色のトナーを、前記各色に対応する前記現像部１６に補給するもので、図５に示すように、前記感光体ドラム２の上方において、前記レーザユニット４と前記トナーコンテナ５との間のスペースに配置されている。また、前記トナー補給装置６は、トナーのそれぞれの色に対応した上下方向に移動可能な複数のトナー補給ノズル２５と、前記トナー収容部に予め収容されているトナーを対応する前記トナー補給ノズル２５に搬送する搬送パイプ２６と、当該トナー補給装置６の上方向への移動の限界位置を検出するリミットスイッチ７０と、前記各トナー補給ノズル２５を上下動させるための出退機構２７を備えている。
【００３１】
前記各トナー補給ノズル２５は、上下方向に長く、上端が装置手前側に、下側が装置奥側に傾斜している。前記各トナー補給ノズル２５は、先端が先細形状となっており、下方に移動した際には、先端が前記トナー補給口１８に形成されたスリット１８ａを通って内部に進入可能な構成となっている。また、前記トナー補給ノズル２５の内部には、トナー搬送用スクリュー３０が回転可能に設置されている。
【００３２】
前記リミットスイッチ７０は、ラック３２が上方向及び下方向へ移動する際の限界位置を検出するものであって、前記トナー補給装置６の上側及び下側に配置されている。
【００３３】
前記搬送パイプ２６は、前記トナー補給ノズル２５の上下動に追従して移動可能なように、可撓性を有するパイプが適用されている。そして、内部には、コイルスプリング３１が配置されており、図示しない駆動機構によって回転させられて、これによりトナーが当該搬送パイプ２６内を通ってトナー供給パイプ２５側に搬送される。
【００３４】
［回転型現像器の回転制御動作］
図６に回転型現像器の回転制御動作に関する図を示し、以下にその説明を行う。
【００３５】
また、図７にそのときの回転型現像器３の回転動作のグラフを示す。
【００３６】
図６（Ａ）で、回転型現像器３のブラック色現像部１６ｂにトナー補給を行うため、トナー補給装置６は、ブラック色現像部１６ｂのトナー補給口１８にトナー補給装置６を挿入して、トナー９１をブラック色現像部１６ｂに注入する。
【００３７】
図６（Ｂ）で、トナー補給装置６は、トナー補給を終了しトナー補給装置６をブラック色現像部１６ｂから引き抜き待機位置に戻る。その際にトナー補給装置先端部に付着していたトナーやブラック色現像部１６ｂ内部で飛散していたトナーがトナー補給口１８付近に余剰トナー９５として付着する。
【００３８】
この余剰トナー９５を放置しておくと回転型現像器３の回転に伴い装置内部に飛散してしまい出力画像の劣化を招く。
【００３９】
そこで、図６（Ｃ）に示すように回転型現像器３を低速で逆回転（図６での時計方向回転）させて、トナー補給口１８が余剰トナー受け部９０の一端の内周方向上部にある、余剰トナー振り落とし位置９７まで来るようにする。
【００４０】
そのときの回転時の回転駆動系の経過時間に対する回転速度のグラフを図７に示す。
【００４１】
図７の点線で示すように従来の回転制御では、トナー補給が終了すると次色のトナー補給位置まで回転型現像器３が正方向（図６での反時計方向）に高速正回転して移動する。しかし、回転型現像器３が高速で回転すると余剰トナー９５が、カラープリンタ装置内に飛散する恐れがある。
【００４２】
そこで、本実施例の回転制御方式では、図７の実線に示すように、Ｓ１０１でトナー補給が終わった状態から、まず低速逆回転し、図６（Ｃ）に示すようにトナー補給口１８が回転型現像器３の下部側になる位置（余剰トナー振り落とし開始位置９７）まで移動する（図７ではＳ１０３の位置に相当する）。この際に、トナー補給口付近に付着した余剰トナーは、低速回転のために回転型現像器３から振り落とされること無く付着したまま余剰トナー振り落とし開始位置９７まで至る。
【００４３】
次に、回転型現像器３は、図７（Ｄ）に示すブラック色現像部１６ｂの補給口１８が余剰トナー受け部９０の他端である余剰トナー振り落とし終了位置９９まで高速逆回転を行い、余剰トナー９５を遠心力で余剰トナー受け部９０に振り落とす（図７のＳ１０５の位置）。
【００４４】
以上により余剰トナー振り落としのための回転制御を終了する。
【００４５】
次に次色のトナー補給が必要であれば、回転型現像器３を回転させて対応トナー色現像部の補給位置に回転したり、また、次の動作が印刷動作であれば対応現像部１６の現像ドラムを感光体２に当接する位置に移動させる。
【００４６】
［実施例１の効果］
本実施例のカラープリンタにより、トナー補給動作後に低速回転により、余剰トナーを装置内に飛散させることなく、余剰トナー受け部上部にトナー補給口１８を移動し、その後、回転型現像器３を高速回転させることにより、前記トナー補給口１８付近に付着する余剰トナー９５を余剰トナー受け部９０に振り落として保持することができ、余剰トナー飛散に起因する混色や画像の劣化などを抑制することが可能となった。
【００４７】
［その他］
余剰トナー受け部９０に付着したトナーは、メンテナンス時に清掃を行っても良いし、余剰トナー受け部９０を消耗部品として交換しても良い。
【図面の簡単な説明】
【００４８】
【図１】カラープリンタのブロック構成図（実施例１）。
【図２】カラープリンタの断面図（実施例１）。
【図３】現像部の斜視図（実施例１）。
【図４】現像部の補給口の図（実施例１）。
【図５】トナー補給装置の断面図（実施例１）。
【図６】回転型現像器の回転動作の図（実施例１）。
【図７】回転型現像器の回転動作のグラフ（実施例１）。
【符号の説明】
【００４９】
１  カラープリンタ
２  感光体ドラム
３  回転型現像器
４  レーザユニット
５  トナーコンテナ
６  トナー補給装置
７  中間転写ベルト
８  二次転写ローラ
１８  トナー補給口
２５、２５ｙ、２５ｍ、２５ｃ、２５ｂ  トナー補給ノズル
８０  制御部
８５  印刷制御部
８６  トナー補給制御部
９０  余剰トナー受け部
９１  トナー
９５  余剰トナー
【図１】
2007316554.tif 000003
【図２】
2007316554.tif 000004
【図３】
2007316554.tif 000005
【図４】
2007316554.tif 000006
【図５】
2007316554.tif 000007
【図６】
2007316554.tif 000008
【図７】
2007316554.tif 000009